(57)【要約】【課題】  本発明は、簡易で且つ安全性の高い方法で電力量計の検針を行うことができる電力量検針支援装置、端末装置、電力量検針支援方法を提供することを課題とする。また、本発明は、低コストで且つ検針値を正確に読み取ることができる電力量検針支援装置、端末装置、電力量検針支援方法を提供することを課題とする。【解決手段】  本発明の電力量検針支援装置１は、制御回路が格納された本体部２と、数値表示部Ｎを撮像する撮像部３と、撮像した画像を送信するためのアンテナ４とを備える。【選択図】  図１
2005316681.tif 000002
【特許請求の範囲】
【請求項１】
電力量が数値で表示される数値表示部を有する電力量計に装着される電力量検針支援装置であって、
前記数値表示部の正面に対して斜め方向から前記数値表示部を撮像する撮像手段と、
前記撮像手段からの撮像情報を記憶する記憶手段と、
前記記憶手段に記憶された撮像情報を外部に送信する通信手段と、
前記撮像手段、前記記憶手段及び前記通信手段を制御する制御手段とからなる電力量検針支援装置。
【請求項２】
前記撮像手段は、前記数値表示部の撮像情報を光学的に補正する補正手段を有する請求項１に記載の電力量検針支援装置。
【請求項３】
前記制御手段は、前記数値表示部の撮像情報を画像処理により補正する請求項１に記載の電力量検針支援装置。
【請求項４】
少なくとも前記撮像手段、前記通信手段又は前記制御手段に駆動電力を供給する電源手段と、
前記電源手段からの駆動電力の供給を開始する電源起動手段とを有しており、
前記電源起動手段は、内部クロックにより一定時間毎に駆動電力の供給開始を制御する請求項１〜３の何れかに記載の電力量検針支援装置。
【請求項５】
前記電源起動手段は、外部からの非接触媒体からの起電力により起動されるＩＣタグである請求項４に記載の電力量検針支援装置。
【請求項６】
前記電源手段は、前記電力量計に接続される単相三線の一線に巻回したコイルである請求項４に記載の電力量検針支援装置。
【請求項７】
電力量が数値で表示される数値表示部を有する電力量計に装着され該数値表示部の正面に対して斜め方向から前記数値表示部を撮像する撮像手段と、
前記撮像手段からの撮像情報を記憶する記憶手段と、
前記記憶手段に記憶された撮像情報を外部に送信する通信手段と、
前記撮像手段、前記記憶手段及び前記通信手段を制御する制御手段とからなる電力量検針支援装置から前記数値表示部の撮像情報を受信する端末装置であって、
前記通信手段から前記撮像情報を受信する受信手段と、
前記受信手段で受信した前記撮像情報を表示する表示手段とを有する端末装置。
【請求項８】
前記電力量検針支援装置には、前記に加えて、少なくとも前記撮像手段、前記通信手段又は前記制御手段に駆動電力を供給する電源手段と、前記電源手段からの駆動電力の供給を開始するＩＣタグからなる電源起動手段とを有しており、
前記端末装置には、前記に加えて、前記ＩＣタグを起動する起電力を発生するＩＣタグ起動手段を有する請求項７に記載の端末装置。
【請求項９】
前記端末装置は、携帯電話端末である請求項７又は８の何れかに記載の端末装置。
【請求項１０】
電力量が数値で表示される数値表示部を有する電力量計に装着され、該数値表示部を斜めから撮像する撮像手段と、
前記撮像手段からの撮像情報を記憶する記憶手段と、
前記記憶手段に記憶された撮像情報を外部に送信する通信手段と、
前記撮像手段、前記記憶手段及び前記通信手段を制御する支援装置側制御手段とからな
る電力量検針支援装置と、
前記数値表示部の撮像情報を受信する受信手段と、
前記撮像情報を表示する表示手段と、
前記受信手段と前記表示手段とを制御する端末側制御手段とからなる端末装置とからなり、
前記支援装置側制御手段は、前記撮像手段に前記数値表示部を撮像させ、当該撮像情報を前記記憶手段に記憶させ、該記憶手段から読み出した撮像情報を前記通信手段によって外部に送信させ、
前記端末側制御手段は、前記受信手段で受信した前記撮像情報を前記表示手段に表示させる電力量検針支援装置と端末装置とを用いた電力量検針支援方法。
【請求項１１】
前記電力量検針支援装置は、前記に加えて、少なくとも前記撮像手段、前記通信手段又は前記制御手段に駆動電力を供給する電源手段と、前記電源手段からの駆動電力の供給を開始するＩＣタグからなる電源起動手段とを有しており、
前記端末装置は、前記に加えて、前記ＩＣタグを起動する起電力を発生させるＩＣタグ起動手段を有しており、
前記端末側制御手段が、前記ＩＣタグ起動手段を起動して前記電力量検針支援装置のＩＣタグに起電力を供給すると、
前記支援装置側制御手段は、前記電源手段に対して少なくとも前記撮像手段、前記通信手段又は前記制御手段に駆動電力を供給し、供給された駆動電力に基づいて、前記撮像手段に前記数値表示部を撮像させ、前記撮像手段により撮像した撮像情報を前記記憶手段に記憶させ、該記憶手段から読み出した撮像情報を前記通信手段によって外部に送信させ、
前記端末側制御手段は、前記受信手段で受信した前記撮像情報を前記表示手段に表示させる請求項１０に記載の電力量検針支援装置と端末装置とを用いた電力量検針支援方法。
【発明の詳細な説明】
【技術分野】
【０００１】
本発明は、電気の使用量を計量する電力量計の検針を支援する技術に関する。
【背景技術】
【０００２】
従来より、電気等の使用料金は需要家の使用量に基づき算出されている。一般に、その課金方式では、需要家の電気使用量を電力量計（検針メータ）等で計量し、その検針量（使用量）に単位あたりの使用料金を乗じ使用料金が算出される。このように電力の使用料金は検針量に基づいて決定される。
【０００３】
また、検針員による検針ではなく、デジタルの電力量計及び通信回線網を利用した検針システムの開発も行われている（特許文献１参照）。この自動検針システムは、電力量計と、電力量計で表示された検針データを送信する通信端末と、検針データを受信してその検針データから各需要家への課金額を算出する課金センタとを備えている。通信端末と課金センタは電話回路網などの通信回線に接続されており、この通信回線を介して検針データの送受信を行うことで電気の使用量を計量する。
【特許文献１】特開２００１−３０７２７２号公報
【発明の開示】
【発明が解決しようとする課題】
【０００４】
ところで、電力量計の検針は、検針員が各需要家宅を訪問し各需要家宅に設置されている電力量計に表示されている検針値を目視により確認し検針値を記録するという方法が多くとられている。
【０００５】
ところが、電力量計は検針員の頭上より高い位置に設けられていることが多い。そのため、検針員は検針を行うために踏み台等の台に載って電力量計の数値を目視せざるを得ない場合があった。
【０００６】
また、電力量計は検針員が検針し易い場所にあるとは限らない。例えば、建物と建物が隣接した非常に狭い場所又は光が届かず暗い場所等に電力量計がついている場合がある。このような場所だと、検針員は電力量計を目視するために利用する踏み台等を持ち込むことができないため、長棒の先端に鏡がついている道具や双眼鏡等の道具を駆使して何とか検針を行っていた。
【０００７】
また、近年ではセキュリティーの問題から、電力量計が設置されている需要家宅の敷地内に検針員が入ることを懸念するケースが多くなってきている。このような場合も、検針員は道具を駆使し電力量計の計量を行っていた。
【０００８】
このように、検針員による検針は、場所によっては不安全な行為となったり手間がかかってしまうという問題があった。
【０００９】
また、上述したようなデジタルの電力量計及び通信回線網を利用した検針システムでは、電力量計毎にデータの送受信を行うための電話回線等の通信回線を引くことが必要となる。現状の電力量計の数を考慮すると膨大なコストを要してしまう。
【００１０】
そこで、本発明は、簡易で且つ安全性の高い方法で電力量計の検針を行うことができる電力量検針支援装置、端末装置、電力量検針支援方法を提供することを課題とする。
【００１１】
また、本発明は、低コストで且つ検針値を正確に読み取ることができる電力量検針支援装置、端末装置、電力量検針支援方法を提供することを課題とする。
【課題を解決するための手段】
【００１２】
本発明は上記事項に鑑みてなされたものであり、すなわち本発明は、電力量が数値で表示される数値表示部を有する電力量計に装着される電力量検針支援装置であって、数値表示部を撮像する撮像手段と、撮像手段からの撮像情報を記憶する記憶手段と、記憶手段に記憶された撮像情報を外部に送信する通信手段と、撮像手段、記憶手段及び通信手段を制御する制御手段とからなることを特徴とする。
【００１３】
ここで、記憶した撮像情報を送信手段によって、例えば検針員の所持している検針端末に送信することにより、検針が困難な場所であっても検針員が無理して数値表示部を目視することなく検針を行うことができる。これによって、検針員が、検針を行うための不安全な行為がなくなる。
【００１４】
また、通信手段としては、特定小電力無線，赤外線通信，無線ＬＡＮ，ブルートゥース（Bluetooth（登録商標））等を好適に用いることができる。これらの無線通信手段を採用することにより、電力量検針支援装置を遠隔操作することができるようになるため、検針員が立ち入れないような場所に設置された電力量計の検針も行うことができるようになる。
【００１５】
また、本発明は、数値表示部の正面に対して斜め方向から撮像された数値表示部の撮像情報を光学的に補正する補正手段を有している。数値表示部の正面に撮像手段が取り付けられない場合、撮像手段により撮像された数値表示部の画像（撮像情報）にゆがみが生じてしまう。補正手段はこのゆがみを補正するものであり、補正手段としてレンズや半透過性の部材（例えばプリズム等）を挙げることができる。
【００１６】
また、本発明に係る制御手段は、数値表示部の撮像情報を画像処理により補正してもよい。この場合、電力量検針支援装置側にＲＯＭ（Read Only Memory）を設け、その中に画像の補正処理の専用ソフトを格納するという構成を例示できる。尚、ここで行われる画像処理は、既存の画像処理技術を用いることとする。
【００１７】
このように、撮像した画像を補正してから通信手段により検針端末に送信することにより、検針員の数値読み取りの間違いを防止することができ、高精度で検針を行うことができる。
【００１８】
また、本発明の電力量検針支援装置は、ＯＣＲ（Optical Character Reader）等の読取装置で電力量計の検針値を読み取りデータ化したものを検針員側の端末に送信し、デジタル表示させるという方式を採用しておらず電力量計の数値を撮像した画像を検針員側の端末に送るという方式を採用している。これによって、検針の信頼度が画像認識アルゴリズムの精度の高低に左右されることがなくなり、検針結果の信頼度を高めることが出来る。
【００１９】
また、本発明は、少なくとも撮像手段、通信手段又は制御手段に駆動電力を供給する電源手段と、電源手段からの駆動電力の供給を開始する電源起動手段とを有しており、電源起動手段は、内部クロックにより一定時間毎に駆動電力の供給開始を制御する構成としてもよい。
【００２０】
このような構成とすることにより、例えば、内部クロックを毎月の検針日に設定しておくことにより、電力量検針支援装置の起動にかかる時間を省略することができスムーズに検針を行えるようになる。
【００２１】
また、電源手段は、一般的なバッテリーの他にも太陽電池で充電を行うものであってもよい。電力量計は屋外に設置されていることが多いので、太陽電池を用いて充電することにより効率よく且つ低コストで電力を確保することができる。
【００２２】
さらに、本発明に係る電源起動手段は、外部からの非接触媒体からの起電力により起動されるＩＣ（Integrated Circuit ）タグとすることができる。このようなＩＣタグ（ＲＦＩＤタグ）を用いて電力量検針支援装置を起動させることにより、電力量計が検針員の背丈より遙かに高い位置に取り付けられていたとしても容易に起動させることができる。これによって、検針に要する時間と手間を十分に省略することができる。
【００２３】
また、本発明に係る電源手段は、電力量計に接続される単相三線の一線に巻回したコイルとしてもよい。このような構成とすると、電力量検針支援装置専用の電源を設ける必要がなくなる。これによって、電力量検針支援装置に効率的に電力を供給することができる。勿論、コイルの両端から引き出した電力供給線（電線）をバッテリに接続する構成としてもよい。
【００２４】
また、本発明は、電力量が数値で表示される数値表示部を有する電力量計に装着されこの数値表示部を撮像する撮像手段と、数値表示部の正面に対して斜め方向から数値表示部を撮像する撮像手段と、撮像手段からの撮像情報を記憶する記憶手段と、記憶手段に記憶された撮像情報を外部に送信する通信手段と、撮像手段、記憶手段及び通信手段を制御する制御手段とからなる電力量検針支援装置から数値表示部の撮像情報を受信する端末装置であって、通信手段から撮像情報を受信する受信手段と、受信手段で受信した撮像情報を表示する表示手段とを有することを特徴とする。
【００２５】
この端末装置は検針員が使用するものであり、携帯電話端末やＰＤＡ（Personal Digital Assistance）に対して好適に用いることができる。これによって、専用の機器（検針器）を製造するコストを削減することができる。勿論、従来から用いられている専用の機器に上記構成を設けてもよい。
【００２６】
また、本発明の端末装置には、ＩＣタグを起動する起電力を発生するＩＣタグ起動手段が設けられている。このとき、電力量検針支援装置には、少なくとも撮像手段、通信手段又は制御手段に駆動電力を供給する電源手段と電源手段からの駆動電力の供給を開始するＩＣタグからなる電源起動手段とを有することとする。
【００２７】
つまり、検針員の持つ端末装置にＩＣタグ起動手段を設けることにより、電力量検針支援装置を遠隔操作することができる。これにより、検針困難な場所に電力量計が設けられている場合であってもスムーズに検針を行うことができる。
【００２８】
また、本発明は、電力量が数値で表示される数値表示部を有する電力量計に装着され、該数値表示部を斜めから撮像する撮像手段と、撮像手段からの撮像情報を記憶する記憶手段と、記憶手段に記憶された撮像情報を外部に送信する通信手段と、撮像手段、記憶手段及び通信手段を制御する支援装置側制御手段とからなる電力量検針支援装置と、数値表示部の撮像情報を受信する受信手段と、撮像情報を表示する表示手段と、受信手段と表示手段とを制御する端末側制御手段とからなる端末装置とからなり、支援装置側制御手段は、撮像手段に数値表示部を撮像させ、この撮像情報を記憶手段に記憶させ、記憶手段から読み出した撮像情報を通信手段によって外部に送信させ、端末側制御手段は、受信手段で受信した撮像情報を表示手段に表示させる電力量検針支援装置と端末装置とを用いた電力検針支援方法である。
【００２９】
さらに、本発明の電力量検針支援装置は、少なくとも前記撮像手段、通信手段又は制御手段に駆動電力を供給する電源手段と、電源手段からの駆動電力の供給を開始するＩＣタグからなる電源起動手段とを有しており、端末装置は、ＩＣタグを起動する起電力を発生させるＩＣタグ起動手段を有しており、端末側制御手段が、ＩＣタグ起動手段を起動して電力量検針支援装置のＩＣタグに起電力を供給すると、支援装置側制御手段は、電源手段に対して少なくとも撮像手段、通信手段又は制御手段に駆動電力を供給し、供給された駆動電力に基づいて、撮像手段に数値表示部を撮像させ、撮像手段により撮像した撮像情報を記憶手段に記憶させ、この記憶手段から読み出した撮像情報を通信手段によって外部に送信させ、端末側制御手段は、受信手段で受信した撮像情報を表示手段に表示させることを特徴とする。
【発明の効果】
【００３０】
本発明によれば、簡易で且つ安全性の高い方法で電力量計の検針を行うことができる電力量検針支援装置、端末装置、電力量検針支援方法を提供することが可能となる。
【００３１】
また、本発明によれば、低コストで且つ検針値を正確に読み取ることができる電力量検針支援装置、端末装置、電力量検針支援方法を提供することが可能となる。
【発明を実施するための最良の形態】
【００３２】
以下、本発明の実施の形態を図面を参照して説明する。
（装置構成）
図１に示すように、本実施形態の電力量検針支援装置１は、使用電力量を計量する電力量計（以下、電力メータと称す）Ｍの上部に取り付けられる。電力メータＭの前面には、計量した使用電力量を数値表示する数値表示部Ｎが設けられている。尚、数値表示部Ｎの前面は透明部材Ｌにより覆われている。この透明部材Ｌは、電力メータＭのカバーの役割を果たすものとする。
【００３３】
また、電力量検針支援装置１の外観は、制御回路が格納された本体部２と、数値表示部Ｎを撮像する撮像部（撮像手段）３と、撮像した画像を送信するためのアンテナ４とからなる。
【００３４】
図２に本実施形態の電力量検針支援装置１の制御ブロック図を示す。電力量検針支援装置１は、各装置の制御やデータの計算・加工制御を司るＣＰＵ（中央処理演算装置）（制御手段）５と、撮像部３と、撮像部３にて撮像された画像や各種制御プログラムを格納するメモリ（記憶手段）６と、駆動力（電力）を各装置に供給するバッテリ（電源手段）７と、駆動力の供給を開始させるＩＣタグ（電源起動手段）８と、各装置との通信や外部との通信を担う無線通信モジュール（通信手段）９と、アンテナ４とを備えている。
【００３５】
本実施形態に係る撮像部３は、数値表示部Ｎを撮像するレンズ１１と、撮像素子であるＣＣＤ（Charge Coupled Devices）素子１２とを備えている。尚、これに限らず、撮像素子１２としてＣＭＯＳ（Complementary Metal Oxide Semiconductor）イメージセンサを用いてもよい。
【００３６】
さらに、撮像部３には、光源ＬＥＤ１３が設けられている。この光源ＬＥＤ１３は撮像するときに発光する。すなわち、本実施形態の光源ＬＥＤ１３はストロボの役割を果たす。これによって、暗い場所に設置された電力メータの数値表示部も明確に撮像することができ、検針精度を向上させることができる。
【００３７】
図３に示すように、本実施形態の撮像部３は、数値表示部Ｎを斜め方向から撮像する位置に設けられている。これは、数値表示部Ｎの正面を覆わないようにするためである。こ
れによって、電力メータＭは、本実施の形態の電力量検針支援装置１を電力メータＭに装着しても通常の電力メータとしての機能を失うことがなく、検針員は数値表示部Ｎを正面から視認することができる。
【００３８】
ところが、撮像部３を数値表示部Ｎの斜め上方に設置することにより、撮像部３にて撮像した数値表示部Ｎの画像は、台形又は弓形にゆがんだ画像となってしまう。そこで、図２に示す撮像部３のレンズ１１にはこのようなゆがみを補正する機能を備えたレンズ（補正手段）を用いることとする。
【００３９】
また、図２に示すＩＣタグ８は、無線のＩＣチップのことであり、需要家毎に付されたお客様コードのような識別コードなどの情報が記録されており、電波を使って情報を送受信する能力を有する。尚、本実施形態に係る無線通信モジュール９は、無線ＬＡＮであるとする。
【００４０】
さらに、本実施形態の電力量検針支援装置１は、内部クロック１０も備えている。この内部クロック１０を毎月の検針日に設定しておくと、設定した時間になると自動的にＩＣタグ８を起動させる。これによって、電力量検針支援装置１の起動にかかる時間を省略することができスムーズに検針を行えるようになる。
【００４１】
一方、検針員が所持する検針用端末（端末装置）２０は、電力量検針支援装置１のＩＣタグ８を起動する起電力を発生させるＩＣタグＲ／Ｗ（Reader/Writer）（ＩＣタグ起動手段）２１と、起電力を電力量検針支援装置１へ送信したり、電力量検針支援装置１から送信された撮像情報（画像）を受信したりする無線通信モジュール（受信手段）２２と、受信した画像を表示する表示部（表示手段）２３と、これらを制御する制御回路２４とを備えている。電力量検針支援装置１のＩＣタグ８は、検針端末２０のＩＣタグＲ／Ｗ２１から発せられた電波を受信することによりバッテリ７が電力供給を開始する。尚、検針端末２０は携帯電話端末として説明する。
【００４２】
（電力量検針支援工程）
次に、本実施形態の電力量検針支援装置１による検針の支援工程について図４に示すフローチャートに基づき説明する。
【００４３】
まずは、電力量検針支援装置１を起動させる。起動させるためには、検査員が検針端末２０に設けられているＩＣタグＲ／Ｗ２１によって電力量検針支援装置１に設けられたＩＣタグ８を起動させる（Ｓ０１）。ＩＣタグ８が起動すると、バッテリ７から電力が供給され、電力量検針支援装置１全体がウエイクアップの状態となる。
【００４４】
次にＣＰＵ５は、光源ＬＥＤ１３の点灯制御を実行する（Ｓ０２）。点灯制御を開始された光源ＬＥＤ１３は、撮像時まで点灯を待機する。
【００４５】
そして、ＣＰＵ５は、撮像部３が数値表示部Ｎの撮像を開始する制御を実行する（Ｓ０３）。撮像部３により撮像された数値表示部Ｎの画像は、上述したようにレンズ１１により補正される。
【００４６】
次に、ＣＰＵ５は、補正した画像をメモり６に格納する制御を実行する（Ｓ０４）。メモリ６内には、図示しないが日付と識別コードと前記画像とが関連づけられながら格納されるテーブルが構築されている。撮像された画像は、このテーブル内に順に格納されていく。
【００４７】
そして、ＣＰＵ５は、格納された画像を検針員の所持する検針端末２０に送信する制御
を実行する（Ｓ０５）。送信された画像は、検針端末２０の表示部２３に表示される。検針員は、表示された数値表示部Ｎの画像を視認することにより、電力メータＭの検針を行うこととなる。
以上が本実施形態の電力量の検針支援方法である。
【００４８】
上述したように、本実施形態の電力量検針支援装置１は、撮像部３により電力メータＭの数値表示部Ｎを撮像し、撮像した画像を検針員の所持している検針端末２０に送信する。
【００４９】
これによって、検針が困難な場所であっても検針員が数値表示部Ｎを無理して直接視認めに踏み台等に載ったり様々な道具を用いて検針を行うことがなくなるため、検針に伴うすることなく検針を行うことができるようになる。これに伴い、検針員が、検針を行うた不安全な行為をなくすことができ検針時の安全性を向上させることができる。
【００５０】
また、本実施形態の電力量検針支援装置１は、撮像部３により撮像した画像をレンズ１１で補正してから検針端末２０に送信する。これにより、数値読取の間違いを防止することができ、高精度で検針を行うことができる。
【００５１】
また、本実施形態の電力量検針支援装置１にはＩＣタグ８が設けられ、且つ検針員の持つ検針端末２０にＩＣタグＲ／Ｗ２１が設けられているため、電力量検針支援装置１の起動を遠隔操作することができる。
【００５２】
これにより、検査員の背丈よりも高い位置や壁と壁との間が狭くてなかなか入れないような検針困難な場所に電力メータが設けられていても検針員は遠隔地から検針を行うことができる。また、本願の電力量検針支援装置１を電力メータに設けることにより、需要家の敷地内に電力メータが設置されていても敷地内に入ることなく検針を行うことができる。
【００５３】
また、検針端末２０を携帯電話端末とすることにより、従来から使用している検針専用の検針器を製造する必要がなくなるため、検針作業にかかるコストを削減することができる。
【００５４】
＜その他の実施態様１＞
第１の実施の形態では、図２に示すように、電力量検針支援装置１の駆動電源をバッテリ７としているが、電力メータＭに接続されている単相三線の一線にコイルを巻回し、このコイルに生じる誘導電力を電源として用いる構成としてもよい。その場合、誘導起電力は交流電流となるので直流に整流して用いる。
【００５５】
このような構成にすると、図２に示すように電力量検針支援装置を駆動させるためのバッテリを設ける必要がなくなり装置自体の構成を簡易化することができ、装置自体の製造コストを低減させることができる。
【００５６】
さらに、本態様は需要家に供給される前の電力から電源をとる構成であるため、安定した電力を効率的に確保することができる。
【００５７】
＜その他の実施態様２＞
本実施形態では、撮像部３によって撮像した数値表示部Ｎの画像のゆがみ補正をレンズ１２にて行うとして説明したが、図５及び６に示すように、半透過性を有する半透過性部材５０にてゆがみを補正してもよい。この半透過性部材５０としてプリズムやミラーなどを例示できる。
【００５８】
図６に示すように、本実施態様の電力量検針支援装置１に設けられた半透過性部材５０は断面形状が三角形をなしている。尚、数値表示部Ｎ側に位置する半透過膜５１は数値表示部Ｎに対して４５°の角度をもって傾斜している。これによって、半透過膜５１の上方に設けられた撮像部３は、数値表示部Ｎを正面から見た状態と同じ状態の画像を撮像することができる。
【００５９】
それに加えて、このような半透過性部材５０を用いることにより、半透過性部材５０を数値表示部Ｎの正面に位置させたとしても数値表示部Ｎを正面から視認することができる。
【００６０】
また、半透過性部材５０を用いることにより、図５に示すように、電力量検針支援装置１を電力メータＭの上部を覆うようなデザインとすることができる。このようなデザインにより、電力量検針支援装置１の脱落を極力防ぐことができる。
【００６１】
＜その他の実施の態様３＞
本実施の形態及びその他の実施態様２では、撮像した画像のゆがみを補正するためにレンズや半透過性部材を用いるとして説明したが、画像処理ソフトによって画像のゆがみを補正してもよい。この場合、図２に示す電力量検針支援装置１にＲＯＭ（不図示）を設け、その中に画像のゆがみ補正処理の専用ソフトウェアを格納しＣＰＵ５により実行する。
【００６２】
このように、画像処理による画像のゆがみ補正をソフトウェアを用いて行うことにより、撮像部３の構成を簡易とすることができ、装置本体のサイズを小さく且つ軽量化することができる。これによって、電力量検針支援装置の取付けが容易となる。
【００６３】
尚、本発明の電力量検針支援装置は、上記した実施の形態及び態様に限定されるものではなく、本発明の要旨を逸脱しない範囲内において種々変更を加え得ることは勿論である。さらに、本発明の電力量検針支援装置は、電力量計だけでなく水道やガスのメータにも好適に用いることができる。加えて、本発明の電力量検針支援装置は、各種メータの種類、例えば、アナログのメータ（針を用いたメータ）又はデジタルのメータを問わずに適用することができる。
【図面の簡単な説明】
【００６４】
【図１】本実施の形態の電力量検針支援装置の斜視図である。
【図２】本実施の形態の電力量検針支援装置の制御ブロック図である。
【図３】本実施の形態の電力量検針支援装置の要部断面図である。
【図４】本実施の形態の電力量検針支援工程を示すフローチャートである。
【図５】その他の実施態様２の電力量検針支援装置の斜視図である。
【図６】その他の実施態様２の電力量検針支援装置の要部断面図である。
【符号の説明】
【００６５】
１  電力量検針支援装置
２  本体部
３  撮像部（撮像手段）
４  アンテナ
５  ＣＰＵ（制御手段）
６  メモリ（記憶手段）
７  バッテリ（電源手段）
８  ＩＣタグ（電源起動手段）
９  無線通信モジュール（通信手段）
１０  内部クロック
１１  レンズ（補正手段）
１２  撮像素子
１３  光源ＬＥＤ
２０  検針端末（端末装置）
２１  ＩＣタグＲ／Ｗ（ＩＣタグ起動手段）
２２  無線通信モジュール（受信手段）
２３  表示部（表示手段）
２４  制御回路
５０  半透過性部材（補正手段）
５１  半透過膜
Ｌ  透明部材
Ｍ  電力メータ（電力量計）
Ｎ  数値表示部
【図１】
2005316681.tif 000003
【図２】
2005316681.tif 000004
【図３】
2005316681.tif 000005
【図４】
2005316681.tif 000006
【図５】
2005316681.tif 000007
【図６】
2005316681.tif 000008